(57)【要約】【課題】  リモコントランスを小型化し、待機時のロスを低減する。【解決する手段】トランス２次側に、通常作動時には閉路し、待機時には開路する切替回路を備えた倍電圧整流回路と、半波又は全波整流回路から構成された待機電圧整流回路とを並列接続し、この並列接続した回路をレギュレータを介して負荷回路に接続し、通常作動時は、負荷回路は倍電圧整流回路と待機電圧整流回路から電力供給を受け、待機時は待機電圧整流回路から電力供給を受ける。【選択図】  図１
2005295635.tif 000002
【特許請求の範囲】
【請求項１】
トランス２次側に、通常作動時には閉路し、待機時には開路する切替回路を備えた倍電圧整流回路と、半波又は全波整流回路から構成された待機電圧整流回路とを並列接続し、この並列接続した回路をレギュレータを介して負荷回路に接続し、通常作動時は、負荷回路は倍電圧整流回路と待機電圧整流回路から電力供給を受け、待機時は待機電圧整流回路から電力供給を受ける、電子機器の電源回路。
【請求項２】
トランスは、リモコントランスである請求項１の電源回路。
【請求項３】
待機電圧整流回路は、半波整流回路である請求項１の電源回路。
【請求項４】
倍電圧整流回路は、通常作動時に負荷回路へ電力供給し、トランスの二次側両端電圧は、通常作動時の倍電圧整流回路の出力電圧の２分の１の電圧を出力する様に設定されている、請求項１乃至３の何れかに規定する電源回路。
【発明の詳細な説明】
【技術分野】
【０００１】
本発明は、テレビジョン、ビデオ、マイコンなどの電子機器の電源回路であって、通常作動時及び待機時（スタンバイ）に必要な電力を負荷回路に供給するものである。
【背景技術】
【０００２】
従来、電子機器の電源回路は、通常作動時及び待機時に応じて、必要な電力を負荷回路に供給するため、主電源用トランス及び待機用トランスを夫々配備していた（特許文献１の図１及び図８）。そのためトランスの重量が増すばかりでなく、コスト高となる問題があった。
図３の如く、リモコントランスの２次側に全波整流回路を接続し、これをレギュレータを介して負荷回路に接続し、通常作動時及び待機時の必要電力を単一のトランスによって負荷回路に供給することも行われている。
図３の電流回路においては、負荷回路の通常作動に必要な電力を基準にして、コイルの巻き線数、コイルの線径、材質が決められるから、トランスは大型化し、重量を増す問題があった。さらに、トランスの供給能力が大きい分だけ負荷回路の待機時にはトランスの電力消費が大きい問題があった。
【０００３】
【特許文献１】特開２００１−３４４０２４号公報
【発明の開示】
【発明が解決しようとする課題】
【０００４】
本発明は、単一のトランスと、倍電圧整流回路と、待機電圧整流回路とによって、通常作動時及び待機時に応じて必要な電力を電子機器に供給する電源回路であって、従来の全波整流回路による電源回路と比べて、トランスを小型化し、待機時の電力損失を節減できるものを提供する。
【課題を解決するための手段】
【０００５】
本発明の電源回路は、トランス２次側に、通常作動時には閉路し、待機時には開路する切替回路を備えた倍電圧整流回路と、半波又は全波整流回路から構成された待機電圧整流回路とを並列接続し、この並列接続した回路をレギュレータを介して負荷回路に接続し、通常作動時は、負荷回路は倍電圧整流回路と待機電圧整流回路から電力供給を受け、待機時は待機電圧整流回路から電力供給を受けるようにしたものである。
【発明の効果】
【０００６】
通常作動時は、切替回路は閉路されて、倍電圧整流回路と待機電圧整流回路の合成電圧がレギュレータに出力され、負荷回路を駆動する。
待機時は、切替回路は開路され、待機電圧整流回路のみが負荷回路に電力供給する。
倍電圧整流回路は、トランス２次側コイルの端子間電圧を２倍にして、従来回路（図３）の全波整流回路が通常作動時に出力する電圧と同程度の電圧となるように設定されているから、通常作動時の出力電圧に対応する倍電圧整流回路の入力電圧は、従来回路（図３）の全波整流回路の入力電圧の約半分でよいことになる。トランスの２次側コイルの端子間電圧が低くて済む分だけ、トランスのコイルの巻き線数は少なく、絶縁は簡略化され、コイル線径は小さくて済む。
【０００７】
しかも、負荷回路の待機時は、切替回路が開路され、倍電圧整流回路は遮断されるから、待機電圧整流回路だけが電力を負荷回路に供給する。負荷回路の通常作動時の電力の大部分は、倍電圧整流回路が供給するから、待機電圧整流回路は、待機時の小電力を供給するだけで済む。従って待機電圧整流回路は、半波整流回路によって、その機能を充分に発揮でき、多くのダイオードを必要とする全波整流回路の構成とする必要はない。この点でも本発明は、構成は簡略化され、安価に製作できるものである。
【発明を実施するための最良の形態】
【０００８】
図１は、本発明の構成の概略を示したものである。その具体的構成を図２に示した。
１００Ｖ交流の商用電源(1)は、リモコントランス(2)によって所定電圧に降圧される。リモコントランス(2)の２次側には、倍電圧整流回路(3)と、半波又は全波整流回路によって構成された待機電圧整流回路(5)が並列接続されている。この並列接続された回路は、５Ｖ用レギュレータ(6)を経て、マイコンを含む負荷回路(7)に接続されている。
【０００９】
倍電圧整流回路(3)には、切替回路(4)が直列に配備され、倍電圧整流回路(3)を開閉する。該切替回路(4)は、負荷回路(7)がリモコン操作などによって、待機モードに切替わる際に発せられる切替信号によって、開閉が規制されている。
倍電圧整流回路(3)は、公知の構成であって、半波型又は全波型の何れの方式も使用することができる。図２には、半波型倍電圧整流方式を示している。
リモコントランス(2)の２次側コイルの一端は接地し、２次側コイルの他端に倍電圧整流回路(3)及び待機電圧整流回路(5)を接続している。倍電圧整流回路(3)においては、コンデンサＣ１を介して、ダイオードＤ１が逆方向バイアス、ダイオードＤ２は順方向バイアスで接続され、ダイオードＤ１はアノード接地、ダイオードＤ２のカソードは、コンデンサＣ２を介して接地するとともに、切替回路(4)を介してレギュレータ(6)に接続されている。図２の待機電圧整流回路(5)は、リモコントランス(2)の２次コイルにダイオードＤ３が順方向バイアスで接続され、平滑用コンデンサＣ３を経て、レギュレータ(6)に接続している。
【００１０】
公知のとおり、負荷回路(7)の通常作動時は、倍電圧整流回路(3)においては、電源電圧の半サイクルでは、電流はＤ１、Ｃ１を通り、コンデンサＣ１が交流ピーク電圧に充電される。次の半サイクルでは、電流はＣ１、Ｄ２、Ｃ２の道筋を通って、コンデンサＣ１端子電圧と交流ピーク値とが直列になって、コンデンサＣ２が充電され、その端子電圧が出力される。
【００１１】
さらに、待機電圧整流回路(5)においては、電源電圧の半サイクルでは電流がダイオードＤ３、トランジスタＣ３を流れて、コンデンサＣ３を交流のピーク値に充電する。コンデンサＣ２及びＣ３の電圧の合成電圧がレギュレータ(6)に加わる。
負荷回路(7)の待機モードにおいては、負荷回路から出力された待機信号によって切替回路(4)が開路される。リモコントランス(2)が出力する交流電圧は、待機電圧整流回路(5)のダイオードＤ３によって半波整流され、コンデンサＣ３によって平滑化された出力電圧が、レギュレータ(6)を介して負荷回路(7)に加えられる。
【００１２】
図４は、レギュレータ(6)によって負荷回路(7)に加わる電圧を５Ｖに保ち、倍電圧整流回路(3)及び図３に示す全波整流回路(8)によって、それぞれ待機時から通常作動時まで電流を流した時のレギュレータ入力電圧の状況を表している。
【００１３】
負荷回路の通常作動時には、１００mAの負荷電流を流すことが必要であった場合、この電力を全波整流回路(8)によって供給するときは、レギュレータの入力電圧は７Ｖが測定された。同じリモコントランス(2)を用いて倍電圧整流回路(3)によって、同じ電力を負荷回路(7)に供給するには、倍電圧整流回路のグラフを通常作動時の負荷電力の点まで、下方へ平行移動すればよい。
倍電圧整流回路の電力供給能力を、全波整流回路による通常作動時の負荷電力の点まで引き下げることにより、リモコントランス(2)の２次側コイルの両端電位差は、当然下げることができる。従って、２次側コイルの巻き線数を減らし、トランスサイズを小型化することが可能になる。また、リモコントランス(2)の２次側の両端電圧を下げることができた分だけ、待機電圧整流回路(5)の半波整流回路の平均出力電圧も下がり、待機時のロスは減少する。
【００１４】
本発明は、従来の全波整流回路(8)を使用したトランス(2)（図３）よりも小型化が可能となり、待機時の損失低減に効果を発揮するものである。
【００１５】
図面及び上記説明は、本発明の理解を容易にするため具体例について行なったが、本発明は図面及び上記説明に限定されることなく、特許請求の範囲の実施に際して図面及び上記説明とは異なるもので実現することは当然可能である。
【図面の簡単な説明】
【００１６】
【図１】本発明の概略を示すブロック図である。
【図２】本発明の具体例を示す回路図である。
【図３】従来の電源回路を示す回路図である。
【図４】５Ｖ設定時の負荷電流とレギュレータ入力電圧の関係を示すグラフである。
【符号の説明】
【００１７】
(1)  交流電源
(2)  リモコントランス
(3)  倍電圧整流回路
(4)  切替回路
(5)  待機電圧整流回路
(6)  レギュレータ
(7)  負荷回路
【図１】
2005295635.tif 000003
【図２】
2005295635.tif 000004
【図３】
2005295635.tif 000005
【図４】
2005295635.tif 000006